(57)【要約】      （修正有）【課題】非使用時には付箋を収納しておくことができながらも、使用時には、付箋とケースとが別々になりにくい付箋ケース及び付箋セットを提供する。【解決手段】付箋ケース３は、付箋が取り付けられる付箋台５と、少なくとも一つの開口面４２を有する筐体４と、筐体４内に付箋が収納された収納位置と開口面４２から付箋が出た使用位置とで、付箋台５を切り替える切替え体６と、を備える。【選択図】図２
0003222439.tif 000002
【実用新案登録請求の範囲】
【請求項１】
付箋が取り付けられる付箋台と、
少なくとも一つの開口面を有する筐体と、
前記筐体内に前記付箋が収納された収納位置と前記開口面から前記付箋が出た使用位置とで、前記付箋台を切り替える切替え体と、
を備える、付箋ケース。
【請求項２】
前記筐体は、筒状に形成されており、
前記切替え体は、前記付箋台を前記筐体の中心軸に沿って移動させることで、前記収納位置と前記使用位置とに切り替えるように構成されている、
請求項１記載の付箋ケース。
【請求項３】
前記筐体にはスリットが形成されており、
前記切替え体は、前記スリットを通して前記付箋台につながっている、
請求項１又は請求項２記載の付箋ケース。
【請求項４】
前記筐体は、前記収納位置に対応する位置で前記切替え体を保持する収納位置保持部を有する、
請求項１〜３のいずれか一項に記載の付箋ケース。
【請求項５】
前記筐体は、前記使用位置に対応する位置で前記切替え体を保持する使用位置保持部を有する、
請求項１〜４のいずれか一項に記載の付箋ケース。
【請求項６】
前記付箋台は、前記付箋が取り付けられる複数の面を有する、
請求項１〜５のいずれか一項に記載の付箋ケース。
【請求項７】
請求項１〜６のいずれか一項に記載の付箋ケースにおいて、前記付箋台に付箋が取り付けられている、付箋セット。
【考案の詳細な説明】
【技術分野】
【０００１】
本考案は、付箋ケース及び付箋セットに関する。
【背景技術】
【０００２】
特許文献１には、従来の付箋ケース（収納ケース）が記載されている。この特許文献１に記載の収納ケースは、長手方向の両端部に付箋紙支持部が形成されている。付箋紙支持部は、収納ケースに付箋紙が収納されると、付箋紙の長手方向の両端部を押さえるように構成されている。
【０００３】
ユーザは、付箋紙を使用する際、収納ケースに収納された付箋紙を、収納ケースから取り出して、付箋紙を使用する。一方、付箋紙の使用が終わったら、付箋紙を収納ケースに収納する。このとき、付箋紙の長手方向の両端部は、付箋紙支持部によって押さえられる。これによって、収納された付箋紙が剥離されたり、折れ曲がったり、めくれ上がったりするのを防ぐことができる。
【先行技術文献】
【特許文献】
【０００４】
【特許文献１】特開２００２−３０８３５３号公報
【考案の概要】
【考案が解決しようとする課題】
【０００５】
ところで、特許文献１に記載の収納ケースでは、使用の際、付箋紙を収納ケースから取り外し、付箋紙とは別の場所に置いておく必要がある。このため、特許文献１に記載の収納ケースでは、付箋紙の使用が終わったあと、収納ケースに付箋紙を収納しようとしても、直ちに収納ケースが見つけられないことがあって、使い勝手が悪いという問題がある。
【０００６】
本考案は、上記事情に鑑みてなされ、非使用時には付箋を収納しておくことができながらも、使用時には、付箋とケースとが別々になりにくい付箋ケース及び付箋セットを提供することを目的とする。
【課題を解決するための手段】
【０００７】
本考案に係る一態様の付箋ケースは、付箋が取り付けられる付箋台と、少なくとも一つの開口面を有する筐体と、前記筐体内に前記付箋が収納された収納位置と前記開口面から前記付箋が出た使用位置とで、前記付箋台を切り替える切替え体と、を備える。
【０００８】
本考案に係る一態様の付箋セットは、前記付箋ケースにおいて、前記付箋台に付箋が取り付けられている。
【考案の効果】
【０００９】
本考案に係る上記態様の付箋ケース及び付箋セットは、非使用時には付箋を収納しておくことができながらも、使用時には、付箋とケースとが別々になりにくい、という利点がある。
【図面の簡単な説明】
【００１０】
【図１】図１は、本考案の一実施形態に係る付箋セットの斜視図である。
【図２】図２は、同上の付箋ケースの斜視図である。
【図３】図３は、同上の付箋ケースの分解斜視図である。
【図４】図４は、同上の付箋ケースの正面図である。
【図５】図５は、同上の付箋ケースの平面図である。
【図６】図６は、図５のX１−X１線断面図である。
【図７】図７（A）は、切替え体を筐体に向かって押し込んだときの断面図である。図７（B）は、切替え体を収納位置に向かって移動させたときの断面図である。
【考案を実施するための形態】
【００１１】
（１）実施形態
（１．１）全体構成
以下、本実施形態に係る付箋セット１について、詳細に説明する。
【００１２】
本実施形態に係る付箋セット１は、付箋２の非使用時には、付箋２を筐体４の内部に収納しておくことができるが、付箋２の使用時には、図１に示すように、付箋２を筐体４の内部から出すことができる。付箋セット１は、複数の付箋２と、付箋２を収納可能な付箋ケース３と、を備える。
【００１３】
（１．２）付箋ケース
付箋ケース３は、付箋２を収納できるケースである。本実施形態に係る付箋ケース３は、図２に示すように、筐体４と、付箋台５と、切替え体６と、を備える。
【００１４】
ここで、説明の便宜上、図２に示すように、筐体４の長手方向に沿う方向を「前後方向」として定義し、前後方向のうち、筐体４の中央から開口面４２に向かう方向を「前方向」とし、その反対方向を「後ろ方向」として定義する。また、筐体４の中心から切替え体６に向かう方向を「上方向」とし、その反対方向を下方向として定義する。前後方向及び上下方向に直交する方向を左右方向として定義する。ただし、これらの定義は、説明の便宜上、定義しているに過ぎず、使用態様を特定する意図はない。
【００１５】
（１．２．１）筐体
筐体４は、付箋２及び付箋台５を内部に収める箱である。筐体４は、図３に示すように、筐体本体４１と、キャップ４５と、を備える。
【００１６】
筐体本体４１は、筐体４の主体を構成する。本実施形態に係る筐体本体４１は、筒状に形成されており、詳しくは、角筒状に形成されている。筐体本体４１の中心軸は、前後方向に略平行であり、すなわち、筐体４の中心軸は、前後方向に略平行である。本開示でいう「筐体４の中心軸」は、筐体４の長手方向に直交する二つ以上の断面における図心同士を通る線を意味する。中心軸は、直線であってもよいし、曲線であってもよい。
【００１７】
筐体本体４１は、中心軸方向の両端面に開口面を有する。キャップ４５は、筐体本体４１に対し、中心軸方向の一方の端部に取り付けられ、筐体本体４１の一対の開口面のうちの一方の開口面を閉じる。これによって、本実施形態に係る筐体４は、一面に開口面４２を有する。
【００１８】
本実施形態に係る筐体４の開口面４２は、筐体４の前方向の端面に形成されている。開口面４２は、内部に収納された付箋２を出す際に、付箋２が通る開口である。本実施形態に係る開口面４２は、筐体４の端面の全面にわたって開口しているが、付箋２の断面形状に合わせて、筐体４の端面のうちの一部のみが開口してもよい。
【００１９】
本実施形態に係る筐体４では、筐体本体４１及びキャップ４５が透明な合成樹脂で形成されている。ただし、本開示では、筐体本体４１のみが透明な合成樹脂で形成されてもよいし、透明な樹脂に代えて、半透明又は不透明な合成樹脂で形成されてもよい。また、筐体４は、合成樹脂に限らず、例えば、木、厚紙、金属等で形成されてもよい。
【００２０】
筐体４には、図３に示すように、スリット４４が形成されている。スリット４４には、後述の切替え体６の接続部６２が通される。本実施形態に係るスリット４４は、筐体本体４１の一側壁（ここでは上側の側壁）において、前後方向に沿って形成されている。本実施形態に係るスリット４４は、筐体本体４１の上側の側壁の内面と外面とにわたって貫通しており、後ろ方向にも開放している。ただし、本実施形態に係るスリット４４の後ろ方向の開口端は、キャップ４５によって閉じられる。
【００２１】
筐体４の内周面には、図３に示すように、付箋台５の移動をガイドする一対のガイド溝４３が形成されている。一対のガイド溝４３は、本実施形態では、筐体４の内面のうち、左右方向に対向する一対の内側面において、一対一で形成されている。ガイド溝４３は、前後方向に延びており、要するに、筐体４の中心軸に沿って形成されている。図４に示すように、付箋台５の左右方向の端部は、一対のガイド溝４３に移動可能に入り込む。要するに、付箋台５は、筐体４に対してスライド可能に取り付けられている。
【００２２】
（１．２．２）付箋台
付箋台５には、付箋２が取り付けられる。付箋台５は、図３に示すように、取付け部５１と、取付け部５１につながるストッパー部４２と、を備える。
【００２３】
（１．２．２．１）取付け部
取付け部５１は、付箋２が取り付けられる部分である。本実施形態に係る取付け部５１は、板状に形成されている。取付け部５１は、付箋２が取り付けられる第一面５１１と、他の付箋２が取り付けられる第二面５１２と、を備えている。要するに、本実施形態に係る取付け部５１は、付箋２が取り付けられる複数の面を有する。
【００２４】
本実施形態に係る第一面５１１は、取付け部５１において上方向を向く面である。本実施形態に係る第二面５１２は、取付け部５１において下方向を向く面である。第一面５１１と第二面５１２とは、本実施形態では平行である。第一面５１１と付箋２との取付け、及び第二面５１２と付箋２との取付けは、例えば、接着、はめ込み、差し込み等で実現される。
【００２５】
ただし、本開示では、取付け部５１は、例えば、断面三角形状に形成されて、付箋２を取り付けるための面を三つ有していてもよいし、断面十字状に形成されて、付箋２を取り付けるための面を四つ有していてもよい。
【００２６】
（１．２．２．２）ストッパー部
ストッパー部４２は、付箋台５を、使用位置及び収納位置のいずれかの位置で止めるための機構である。本開示でいう「収納位置」とは、筐体４内に付箋２が収納されるときの付箋台５の位置を意味する。また、「使用位置」とは、開口面４２から付箋２が出たときの付箋台５の位置を意味する。ストッパー部４２は、図３に示すように、取付け部５１よりも後ろ側に設けられており、取付け部５１と一体に形成されている。ストッパー部４２は、立上げ部４２１と、連結部４２２と、弾性部４２３と、複数（ここでは二つ）の係止体４２４と、を備える。
【００２７】
立上げ部４２１は、取付け部５１の後端から上方向に立ち上がる部分である。立上げ部４２１の上端は、筐体４の上側の側壁の内面に近接する。連結部４２２は、立上げ部４２１と弾性体とをつなぐ部分であり、筐体４の上側の側壁の内面に対向する。連結部４２２は、立上げ部４２１の上端部から後ろ方向に延びている。連結部４２２の上面には、切替え体６と、複数の係止体４２４と、が設けられている。
【００２８】
弾性部４２３は、連結部４２２の後ろ側の端部から突出している。弾性体は、後ろ側に行くにしたがって下方に行くように、連結部４２２に対して傾斜している。弾性体の下端は、筐体４に付箋台５が収まった状態では、図６に示すように、筐体４の下側の側壁の内面に当たる。
【００２９】
ここで、筐体４は、図５に示すように、収納位置保持部７と、使用位置保持部８とを備える。収納位置保持部７は、収納位置で付箋台５を保持し、要するに、収納位置に対応する位置で切替え体６を保持する。本実施形態に係る収納位置保持部７は、スリット４４よりも左右方向に拡がる穴によって構成されている。使用位置保持部８は、使用位置で付箋台５を保持し、要するに、使用位置に対応する位置で切替え体６を保持する。本実施形態に係る使用位置保持部８は、収納位置保持部７と同様、スリット４４よりも左右方向に拡がる穴によって構成されている。
【００３０】
使用位置保持部８には、図７（Ａ）に示すように、係止体４２４が嵌まり込み、これによって、付箋台５を使用位置に保持し、切替え体６を使用位置に保持する。この状態において、切替え体６を下方向に沿って押し込むと、切替え体６は連結部４２２を下方向に向かって移動させ、これに従って係止体４２４が使用位置保持部８から外れる。この状態で、切替え体６を後ろ方向に移動させると、図７（Ｂ）に示すように、付箋台５が収納位置に向かって移動し、係止体４２４が収納位置保持部７に差し掛かる。すると、弾性部４２３によって上向きの力を加えられている係止体４２４は、収納位置保持部７に嵌まり込み、これによって、切替え体６が収納位置で保持される。
【００３１】
（１．２．３）切替え体
切替え体６は、付箋台５を、収納位置と使用位置とで切り替える。ユーザは、切替え体６を筐体４に対して前後方向に移動させることで、付箋台５を、収納位置と使用位置とに切り替え得る。切替え体６は、図３に示すように、指掛かり６１と、接続部６２と、を備える。
【００３２】
指掛かり６１は、ユーザの指が掛かりやすいように形成されている。本実施形態に係る指掛かり６１は、表面に細かい凹凸が形成されたローレット加工が施されている。ただし、指掛かり６１としては、凹凸でなくてもよく、例えば、段状に形成されてもよいし、ゴム等の摩擦力を大きくする材料が取り付けられてもよい。指掛かり６１は、筐体４の一側面に沿って取り付けられている。接続部６２は、スリット４４を通して、指掛かり６１と連結部４２２とをつなぐ。本実施形態に係る接続部６２は、指掛かり６１及び連結部４２２に対して一体に形成されている。
【００３３】
（１．３）付箋
付箋２は、例えば、メモ、目印等として使用可能な紙片の束である。本実施形態に係る付箋２は、図１に示すように、前後方向に長い帯状に形成されている。ただし、本開示に係る付箋２は、例えば、楕円形、ハート形、正方形等、種々の形状を採用することができる。この場合、付箋２に合わせた形状の筐体４を採用すればよい。また、付箋２としては、紙に限らず、例えば、フィルムで形成されてもよい。
【００３４】
（１．４）使用例
本実施形態に係る付箋セット１から付箋２を取り出す際、ユーザは、筐体４に対して切替え体６を前方向に移動させ、付箋台５を使用位置に向かって移動させる。付箋台５が使用位置に位置すると、付箋２は、筐体４の開口面４２から出る。これによって、ユーザは、付箋２を使用することができる。
【００３５】
付箋２を使用した後、ユーザは、切替え体６を後ろ方向に移動させ、付箋台５を収納位置に向かって移動させる。付箋台５が収納位置に位置すると、付箋２は、筐体４内に収納される。
【００３６】
このため、ユーザは、簡単な操作で、付箋２を収納したり、使用できる状態にしたりすることができるため、使い勝手がよい。また、本実施形態に係る付箋ケース３及び付箋セット１によれば、非使用時には付箋２を収納しておくことができながらも、使用時には、付箋２とケースとが別々になりにくいという利点がある。
【００３７】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００３８】
上記実施形態に係る付箋ケース３は、一の筐体４に対し、一の付箋台５と、一の切替え体６とを備えたが、本開示に係る付箋ケース３では、一の筐体４に対し、複数の付箋台５と、これに対応する複数の切替え体６とを備えてもよい。この場合、複数の切替え体６は、例えば、筐体４の対向する側面にそれぞれ設けられる。複数の付箋台５は、それぞれが独立して移動してもよいし、一の切替え体６に対して連動して移動してもよい。
【００３９】
上記実施形態に係る筐体４は、角筒状として四角筒状に形成されたが、本開示に係る筐体４は、円筒状、五角形状の筒体、六角形状の筒体であってもよい。
【００４０】
上記実施形態に係る筐体４は、前方向の端面にのみ開口面４２を有したが、本開示に係る筐体４は、前方向の端面に加えて、左右方向のいずれか一方の側壁に開口面４２を有してもよいし、後ろ方向の端面に開口面４２を有してもよい。開口面４２が左右方向の一方の面に形成される場合、付箋台５は、左右方向の一方に沿った移動によって使用位置に切り替えられ、左右方向の他方に沿った移動によって収納位置に切り替えられる。
【００４１】
上記実施形態に係る付箋台５は、前側の端部に取付け部５１を有したが、本開示では、前後方向の両端部に取付け部５１を有してもよい。この場合、筐体４は、軸方向の両方の端面に係後面４２を有する。
【００４２】
上記実施形態では、付箋台５は、前後方向に沿ってスライド移動したが、本開示では、付箋台５が、例えば上下方向に沿った回転軸を中心として回転することで、使用位置と収納位置とで切り替えられてもよい。また、上記実施形態では、切替え体６は、筐体４に対して、筐体４の長手方向に沿って移動したが、本開示では、例えば、押しボタンで構成されてもよい。この場合、押しボタンを押すことで、付箋台５を使用位置と収納位置とに切り替えるように構成される。また、切替え体６としては、例えば、リップクリームのケースのようにねじることで、付箋台５を使用位置と収納位置とに切り替えるように構成されてもよい。
【００４３】
付箋２は、付箋台５に対して、取外し可能に取り付けられてもよい。また、付箋台５に対して、ユーザの好みの付箋２を取り付けることができるように構成してもよいし、付箋２を使い切った後、新たに付箋２を取り付けて使用してもよい。
【００４４】
また、本開示に係る付箋ケース３は、開口面４２を塞ぐように、筐体４に対して取外し可能に取り付けられた蓋を有していてもよい。
【００４５】
本実施形態に係る収納位置保持部７及び使用位置保持部８は、スリット４４よりも拡がる穴で構成されたが、本開示では穴に制限されない。収納位置保持部７及び使用位置保持部８は、例えば、指掛かり６１の裏面（下面）に他の部分よりも下方向に突出する突起を形成し、突起が入る凹部を、筐体４の収納位置又は使用位置に対応する位置に形成してもよい。また、本実施形態に係る収納位置保持部７及び使用位置保持部８は、筐体４の上面に形成されたが、筐体４の内面や、ガイド溝４３に対して、凹凸形状を設けてもよい。
【００４６】
本開示にて、「略平行」、又は「略直交」のように「略」を伴った表現が、用いられる場合がある。例えば、「略平行」とは、実質的に「平行」であることを意味し、厳密に「平行」な状態だけでなく、数％程度の誤差を含む意味である。他の「略」を伴った表現についても同様である。
【００４７】
（３）態様
以上説明したように、第１の態様に係る付箋ケース３は、付箋２が取り付けられる付箋台５と、少なくとも一つの開口面４２を有する筐体４と、筐体４内に付箋２が収納された収納位置と開口面４２から付箋２が出た使用位置とで、付箋台５を切り替える切替え体６と、を備える。
【００４８】
この態様によれば、付箋ケース３から付箋２を取り出す際、ユーザは、切替え体６を操作することで、付箋２を使用位置に位置させることができ、付箋２を使用することができる。また、付箋２を使用した後、ユーザは、切替え体６を操作し、付箋２を収納位置に位置させることができ、付箋２を筐体４内に収納することができる。この結果、この態様によれば、非使用時には付箋２を収納しておくことができながらも、使用時には、付箋２とケースとが別々になりにくいという利点がある。
【００４９】
第２の態様に係る付箋ケース３では、第１の態様において、筐体４は、筒状に形成されている。切替え体６は、付箋台５を筐体４の中心軸に沿って移動させることで、収納位置と使用位置とに切り替えるように構成されている。
【００５０】
この態様によれば、筐体４が筒状であるため、収納された付箋２について、全体を保護することができる。
【００５１】
第３の態様に係る付箋ケース３では、第１又は第２の態様において、筐体４にはスリット４４が形成されている。切替え体６は、スリット４４を通して付箋台５につながっている。
【００５２】
この態様によれば、簡略化した構造で、付箋台５を使用位置と収納位置とで切り替える構造を実現することができる。
【００５３】
第４の態様に係る付箋ケース３では、第１〜３のいずれか１つの態様において、筐体４は、収納位置に対応する位置で切替え体６を保持する収納位置保持部７を有する。
【００５４】
この態様によれば、例えば、付箋ケース３をカバン等に入れた状態で、付箋台５が使用位置に切り替えられるのを抑えることができ、意図せず、切替え体６が収納位置から切り替えられるのを抑えることができる。
【００５５】
第５の態様に係る付箋ケース３では、第１〜４のいずれか１つの態様において、筐体４は、使用位置に対応する位置で切替え体６を保持する使用位置保持部８を有する。
【００５６】
この態様によれば、例えば、付箋２の使用中に、付箋台５が収納位置に切り替えられるのを抑えることができるため、使い勝手を向上することができる。
【００５７】
第６の態様に係る付箋ケース３では、第１〜５のいずれか１つの態様において、付箋台５は、付箋２が取り付けられる複数の面を有する。
【００５８】
この態様によれば、例えば色の異なる複数種類の付箋２を、一つの付箋ケース３に収納することができるため、複数種類の付箋２を持ち運ぶことができ、ユーザは、使い勝手がよい。
【００５９】
第７の態様に係る付箋セット１は、第１〜６のいずれか１つの付箋ケース３において、付箋台５に付箋２が取り付けられている。
【００６０】
この態様によれば、非使用時には付箋２を収納しておくことができながらも、使用時には、付箋２とケースとが別々になりにくい付箋セット１を実現することができる。
【００６１】
第２〜第６の態様に係る構成については、付箋ケース３に必須の構成ではなく、適宜省略可能である。
【符号の説明】
【００６２】
１      付箋セット
２      付箋
３      付箋ケース
４      筐体
４２      開口面
４４      スリット
５      付箋台
６      切替え体
７      収納位置保持部
８      使用位置保持部
【図１】
0003222439.tif 000003
【図２】
0003222439.tif 000004
【図３】
0003222439.tif 000005
【図４】
0003222439.tif 000006
【図５】
0003222439.tif 000007
【図６】
0003222439.tif 000008
【図７】
0003222439.tif 000009